(57)【要約】【課題】印字物に印字不良が発生した場合に、ユーザが印字不良箇所等を容易に確認でき、その箇所が印字不良であるか否かをマン／マシンにより判断することができる画像形成装置を提供する。【解決手段】画像形成部（１０４）、スキャナ部（１０２）、記憶部（１６０）、表示部（１３０）、制御部（１８０）を備え、ユーザの指示により特定の書類を出力可能な画像形成装置（１００）において、記憶部（１６０）は、住民票のフォーマット（１６１１）と情報が記載される情報領域（１６１２）とを有する住民票の画像データ（１６１）が予め登録され、また、住民票のフォーマット（１６１１）と情報領域（１６１２）の印字不良判断基準が設定され、制御部（１８０）は、印字状態チェック画面表示手段（１８１）と、特定箇所指定手段（１８２）と、印字不良判断手段（１８３）とを備えることを特徴とするものである。【選択図】図２
2015193137.tif 000002
【特許請求の範囲】
【請求項１】
画像データに基づいて画像を形成する画像形成部と、記録媒体に印字された画像を読取る画像読取部と、前記画像読取部により読取った画像データを記憶する記憶部と、前記画像読取部により読取られた画像を表示する表示部と、各構成部を制御する制御部と、を備え、ユーザの指示により特定の書類を出力可能な画像形成装置において、
前記記憶部は、所定のフォーマットと情報が記載される情報領域とを有する書類の画像データが予め登録され、また、所定のフォーマットと情報が記載される情報領域に印字不良があるか否かを判断するための印字不良判断基準が設定され、
前記制御部は、前記画像読取部により読取られた出力された印字物の画像データに基づいて、出力された印字物の印字状態をチェックする印字状態チェック画面を前記表示部に表示する印字状態チェック画面表示手段と、
前記表示部に表示された印字状態チェック画面に対してユーザのタッチ操作により特定した箇所を指定する特定箇所指定手段と、
前記印字不良判断基準と前記ユーザにより特定された箇所とを照合して、前記ユーザにより特定された箇所が印字不良であるか否かを判断する印字不良判断手段と、
を備えることを特徴とする画像形成装置。
【請求項２】
前記印字状態チェック画面表示手段は、前記印字状態チェック画面として、前記画像読取部により読取られた出力された印字物のプレビュー画像を前記表示部に表示する機能を備え、
前記特定箇所指定手段は、前記表示部に表示された出力された印字物のプレビュー画像に対してユーザのタッチ操作により特定された箇所を指定する機能を備えることを特徴とする請求項１に記載の画像形成装置。
【請求項３】
前記印字状態チェック画面表示手段は、前記印字状態チェック画面として、印字状態をチェックする箇所とチェックする内容を含む印字状態チェックリストを前記表示部に表示する機能を備え、
前記特定箇所指定手段は、前記表示部に表示された前記印字状態チェックリストに対してユーザのタッチ操作により特定した箇所と特定した内容を指定する機能を備えることを特徴とする請求項１に画像形成装置。
【請求項４】
前記制御部は、前記印字不良判断手段による判断結果に基づいて、再度書類の画像を印字するか否かを判断する再印字判断手段を備えることを特徴とする請求項１から３のうちの何れか一項に記載の画像形成装置。
【発明の詳細な説明】
【技術分野】
【０００１】
本発明は、画像形成装置に係り、特に、ユーザの指示により特定の書類を出力可能な画像形成装置に関する。
【背景技術】
【０００２】
従来、コンビニエンスストアなどの店舗に設置されている情報端末であって、画像形成装置として機能する複合機において、ネットワークを介して物品やデジタルコンテンツ、チケットなどの購入をしたり、証明書類の発行サービスなど行ったりすることができるものが知られている。
【０００３】
このような複合機において、証明書類の発行サービスやコピーサービスを利用した場合は、出力された印字物に対して、利用者の感覚で印字不良、印字ミスを判断していた。そして、利用者が出力された印字物に印字不良、印字ミスが発生していると判断した場合は、発行サービスを再度利用する必要があった。
【０００４】
そこで、印字物の印字不良や印字ミスを判断するために、従来技術として、画像形成装置において、印刷用画像データと出力画像データとを比較して、両者に差異がある場合、それぞれの画像を並べて表示して、効率的かつ確実にミスプリントを判別するようにした技術が開示されている（特許文献１を参照）。
【先行技術文献】
【特許文献】
【０００５】
【特許文献１】特開２００９−６５４８０号公報
【発明の概要】
【発明が解決しようとする課題】
【０００６】
しかしながら、特許文献１の画像形成装置は、単に印刷用画像データと出力画像データとを比較して、両者に差異があるかないかを判断しているのみであり、実際に出力された印字物のどこに印字不良や印字ミスがあるかが分からなかった。すなわち、その印字不良や印刷ミスがユーザにとって許容できる程度であるものかどうかの判断ができなかった。
【０００７】
本発明は、上記従来の問題点に鑑みてなされたものであって、印字物に印字不良や印字ミスが発生した場合に、ユーザが印字不良箇所等を容易に確認できるとともに、その箇所が印字不良や印字ミスであるか否かをマン／マシンにより判断することができる画像形成装置を提供することを目的とする。
【課題を解決するための手段】
【０００８】
上述した課題を解決するための本発明に係る画像形成装置は、次の通りである。
【０００９】
本発明は、画像データに基づいて画像を形成する画像形成部と、記録媒体に印字された画像を読取る画像読取部と、前記画像読取部により読取った画像データを記憶する記憶部と、前記画像読取部により読取られた画像を表示する表示部と、各構成部を制御する制御部と、を備え、ユーザの指示により特定の書類を出力可能な画像形成装置において、前記記憶部には、所定のフォーマットと情報が記載される情報領域（位置情報）とを有する書類の画像データが予め登録され、また、所定のフォーマットと情報が記載される情報領域に印字不良があるか否かを判断するための印字不良判断基準（例えば、印字汚れ、スジ、斜め印字）が設定され、前記制御部の構成として、前記画像読取部により読取られた出力された印字物の画像データに基づいて、出力された印字物の印字状態をチェックする印字状態チェック画面を前記表示部に表示する印字状態チェック画面表示手段と、前記表示部に表示された印字状態チェック画面に対してユーザのタッチ操作により特定した箇所（ユーザが印字不良と判断した箇所）を指定する特定箇所指定手段（印字不良箇所指定手段）と、前記印字不良判断基準と前記ユーザにより特定された箇所とを照合して、前記ユーザにより特定された箇所が印字不良であるか否かを判断する印字不良判断手段と、を備えることを特徴とするものである。
【００１０】
また、本発明は、前記印字状態チェック画面表示手段の構成として、前記印字状態チェック画面として、前記画像読取部により読取られた出力された印字物のプレビュー画像を前記表示部に表示する機能を備え、前記特定箇所指定手段の構成として、前記表示部に表示された出力された印字物のプレビュー画像に対してユーザのタッチ操作により特定された箇所（ユーザが印字不良と判断した箇所）を指定する機能を備えることが好ましい。
【００１１】
また、本発明は、前記印字状態チェック画面表示手段の構成として、前記印字状態チェック画面として、印字状態をチェックする箇所（該当箇所）とチェックする内容（該当内容）を含む印字状態チェックリストを前記表示部に表示する機能を備え、前記特定箇所指定手段の構成として、前記表示部に表示された前記印字状態チェックリストに対してユーザのタッチ操作により特定した箇所（ユーザが印字不良と判断した箇所）と特定した内容（印字不良の内容）を指定する機能を備えることが好ましい。
【００１２】
また、本発明は、前記制御部の構成として、前記印字不良判断手段による判断結果に基づいて、再度書類の画像を印字するか否かを判断する再印字判断手段を備えることが好ましい。
【発明の効果】
【００１３】
本発明の画像形成装置によれば、画像データに基づいて画像を形成する画像形成部と、記録媒体に印字された画像を読取る画像読取部と、前記画像読取部により読取った画像データを記憶する記憶部と、前記画像読取部により読取られた画像を表示する表示部と、各構成部を制御する制御部と、を備え、ユーザの指示により特定の書類を出力可能な画像形成装置において、前記記憶部には、所定のフォーマットと情報が記載される情報領域（位置情報）とを有する書類の画像データが予め登録され、また、所定のフォーマットと情報が記載される情報領域に印字不良があるか否かを判断するための印字不良判断基準（例えば、印字汚れ、スジ、斜め印字）が設定され、前記制御部の構成として、前記画像読取部により読取られた出力された印字物の画像データに基づいて、出力された印字物の印字状態をチェックする印字状態チェック画面を前記表示部に表示する印字状態チェック画面表示手段と、前記表示部に表示された印字状態チェック画面に対してユーザのタッチ操作により特定した箇所（ユーザが印字不良と判断した箇所）を指定する特定箇所指定手段（印字不良箇所指定手段）と、前記印字不良判断基準と前記ユーザにより特定された箇所とを照合して、前記ユーザにより特定された箇所が印字不良であるか否かを判断する印字不良判断手段と、を備えることで、印字物に印字不良や印字ミスが発生した場合に、ユーザが印字不良箇所等を容易に確認できるとともに、その箇所が印字不良や印字ミスであるか否かをマン／マシンにより判断することができるので、ユーザによって印字ミスかどうかの判断基準が異なる場合であっても、明確な判断を行うことができる。
【図面の簡単な説明】
【００１４】
【図１】本発明の第１実施形態に係る画像形成装置の全体の構成を示す説明図である。
【図２】前記画像形成装置の電気的構成を示すブロック図である。
【図３】前記画像形成装置の記憶部に予め設定されている住民票の印字不良判断テーブルの一例を示す説明図である。
【図４】前記画像形成装置の表示部に印字状態チェック画面として表示される書類のプレビュー画像を示す説明図である。
【図５】前記表示部上でプレビュー画像の一部を指定した状態を示す説明図である。
【図６】前記画像形成装置において出力された印字物を確認して再度印字する必要があるか否かを判断する工程を示すフローチャートである。
【図７】本発明の第２実施形態に係る画像形成装置の電気的構成を示すブロック図である。
【図８】前記画像形成装置の表示部に印字状態チェック画面として表示されるチェックする箇所とチェックする内容を含むチェックリストの一例を示す説明図である。
【図９】前記画像形成装置の記憶部に予め設定されている前記チェックリストに対応した印字不良判断テーブルの一例を示す説明図である。
【図１０】本発明の第３実施形態に係る画像形成装置の電気的構成を示すブロック図である。
【図１１】前記画像形成装置の記憶部に予め設定されている印鑑証明の印字不良判断テーブルの一例を示す説明図である。
【図１２】本発明の第４実施形態に係る画像形成装置の電気的構成を示すブロック図である。
【図１３】前記画像形成装置の記憶部に予め設定されている特定のチケットの印字不良判断テーブルの一例を示す説明図である。
【図１４】本発明の第５実施形態に係る画像形成装置の電気的構成を示すブロック図である。
【図１５】前記画像形成装置の記憶部に予め設定されている運転免許証の印字不良判断テーブルの一例を示す説明図である。
【図１６】本発明の第６実施形態に係る画像形成装置の電気的構成を示すブロック図である。
【図１７】前記画像形成装置の記憶部に予め設定されている健康保険証の印字不良判断テーブルの一例を示す説明図である。
【発明を実施するための形態】
【００１５】
（第１実施形態）
以下、本発明の第１実施形態について図面を参照して説明する。
図１は発明を実施する形態の一例であって、本発明の第１実施形態に係る画像形成装置の全体の構成を示す説明図である。
【００１６】
本発明の第１実施形態は、図１に示すように、ユーザの指示により特定の書類を出力可能な画像形成装置１００において、出力された印字物に印字不良や印字ミス等が生じていないか否かを判断するために、本発明に係る特徴的な構成を備えることを特徴とするものである。
【００１７】
第１実施形態に係る画像形成装置１００は、複数の機能を有する、いわゆる複合機であって、動作モードとして、コピーモード、ファクシミリモード（ＦＡＸモード）、ドキュメントファイリングモード（スキャンした画像を画像形成装置内部の記憶装置に記憶するモード）、メールモード（スキャンした画像を電子メールに添付する形式で送信するモード）およびネットワークプリンタモードを備えている。
【００１８】
まず、本発明の第１実施形態に係る画像形成装置１００の基本的な構成について説明する。
第１実施形態に係る画像形成装置１００は、図１に示すように、主に、画像データを入力する原稿読取部（入力手段）（以下、「スキャナ部」と称する。）１０２、スキャナ部１０２により入力された画像データに基づいて記録媒体上に画像を形成する画像形成部１０４、用紙を供給する給紙部（用紙供給部）１０６、画像データに基づき形成された画像を出力する画像出力手段（出力手段）１０７、排紙処理装置１０８、排紙トレイ１０９および、操作ユニット１２０を備える。
【００１９】
給紙部１０６には、用紙の種類に対応して複数の用紙カセット（図示省略）が収容されている。
【００２０】
操作ユニット１２０は、主にタッチパネルディスプレイ（以下、「表示部」と称する。）１３０と表示操作部１４０とで構成される。表示部１３０は、液晶パネル等で構成された表示パネル１３２と、表示パネル１３２に重ねて配置されたユーザの指で押圧された位置を検出するタッチパネル（タッチ操作認識手段）１３４とで構成される。表示操作部１４０は、表示灯１４２と、電源キー１４４と、省エネルギーキー（以下「省エネキー」と記載）１４６と、動作モードを選択するホーム画面ヘ表示部１３０の表示画面を戻すためのホームキー１４８とで構成される。
【００２１】
このように画像形成装置１００は、主たる操作デバイスとして表示部１３０を備えるとともに、ハードウェアキーおよび表示灯により構成される表示操作部１４０を備える。
【００２２】
なお、画像形成装置１００は、このような構成の表示操作部１４０を備えるものに限定されず、表示部１３０のみを備えるものであってもよい。
【００２３】
上述のようにして印刷された記録用紙は、排紙トレイ１０９または排紙処理装置１０８の方へと導かれて排紙トレイ１０９に排出され、または排紙処理装置１０８の各排紙トレイ１１０のいずれかに排出される。
【００２４】
排紙処理装置１０８では、複数の記録用紙を各排紙トレイ１１０に仕分けして排出する処理、各記録用紙にパンチングする処理、および各記録用紙にステープルする処理を施す。例えば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙に対しパンチングユニット１１１によるパンチング処理またはステープルユニット１１２によるステープル処理を施して印刷物を作成する。
【００２５】
次に、第１実施形態の画像形成装置１００の特徴的な画面表示に係る電気的構成について図面を参照して説明する。
図２は第１実施形態の画像形成装置の電気的構成を示すブロック図である。
【００２６】
第１実施形態に係る画像形成装置１００は、図２に示すように、制御部１８０により、スキャナ部１０２、画像形成部１０４、画像出力手段１０７、操作ユニット１２０、記憶部１６０等を制御するように構成されている。
【００２７】
記憶部１６０には、特徴的な構成として、住民票のフォーマット１６１１と情報が記載される情報領域（位置情報）１６１２とを有する書類の画像データ１６１が予め登録されている。
【００２８】
また、記憶部１６０には、住民票のフォーマット１６１１と書類の情報が記載される情報領域１６１２に印字不良があるか否かを判断するための印字不良判断基準となる印字不良判断テーブル１６１３が設定されている。
【００２９】
また、記憶部１６０には、出力された印字物の印字状態をチェックする印字状態チェック画面１６１４が記憶される。
【００３０】
制御部１８０には、特徴的な構成として、印字状態チェック画面表示手段１８１と、特定箇所指定手段（印字不良箇所指定手段）１８２と、印字不良判断手段１８３とが具備されている。
【００３１】
印字状態チェック画面表示手段１８１は、スキャナ部１０２により読取られた出力された印字物の画像データに基づいて、出力された印字物の印字状態をチェックする印字状態チェック画面１６１４を表示部１３０に表示する。
【００３２】
特定箇所指定手段１８２は、表示部１３０に表示された印字状態チェック画面１６１４に対してユーザのタッチ操作により特定した箇所（ユーザが印字不良と判断した箇所）を指定する。
【００３３】
印字不良判断手段１８３は、予め設定されている印字不良判断テーブル１６１３とユーザにより特定された箇所とを照合して、ユーザにより特定された箇所が印字不良であるか否かを判断する。
【００３４】
ここで、記憶部１６０に予め設定されている印字不良判断テーブル１６１３について説明する。
図３は第１実施形態の画像形成装置の記憶部に予め設定されている住民票の印字不良判断テーブルの一例を示す説明図である。
【００３５】
第１実施形態では、画像形成装置１００を使用して、インターネット（ネットワーク）を利用した証明書の発行サービスにより住民票の出力が可能になっている。
【００３６】
画像形成装置１００の記憶部１６０には、図３に示すように、住民票の発行サービスに対応した印字不良判断テーブル１６１３が設定されている。
【００３７】
印字不良判断テーブル１６１３には、書類のフォーマットとして住民票のフォーマット１６１１と、情報領域１６１２として個人情報の領域と定型情報の領域とが設定されている。
【００３８】
個人情報の領域の項目としては、「氏名」、「生年月日」、「性別」、「世帯主の氏名及び世帯主との続柄」、「戸籍の表示」、「住民となった年月日」、「住所を定めた年月日」、「届け出の年月日」、「従前の住所」が設定されている。
【００３９】
定型情報の領域の項目としては、「タイトル」、「文書」、「発行日付」、「発行者」、「発行印」、「枠線」、「各項目タイトル」が設定されている。
【００４０】
個人情報の領域と定型情報の領域のそれぞれの項目に対して、印字不良や印字ミスの判断基準として「汚れ」、「スジ」、「斜め」の有無が設定されている。
「汚れ」は印字汚れ、トナーによる汚れを含む。「スジ」はトナーによるスジやスジ状に抜ける白スジを含む。「斜め」は斜め印字である。
【００４１】
そして、情報領域の各項目における印字不良や印字ミスの「汚れ」、「スジ」、「斜め」に対して、再印刷の「必要」、「不要」が設定されている。
【００４２】
この印字不良判断テーブル１６１３を用いて、住民票における各項目の情報領域に印字不良や印字ミスの状態に対応して、再印刷が必要か否かを判断するようにしている。すなわち、第１実施形態では、印字不良判断テーブル１６１３は、再印字判断手段としても機能するように構成されている。
【００４３】
次に、第１実施形態の画像形成装置１００の表示部１３０に表示される印字状態チェック画面について図面を参照して説明する。
図４は第１実施形態の画像形成装置の表示部に印字状態チェック画面として表示される書類のプレビュー画像を示す説明図、図５は前記表示部上でプレビュー画像の一部を指定した状態を示す説明図である。
【００４４】
第１実施形態では、ユーザは、画像形成装置１００を使用して、インターネット（ネットワーク）を利用した証明書の発行サービスにより住民票を出力するようにしている。
【００４５】
そして、第１実施形態では、出力された印字物（住民票が印字された書類）をスキャナ部１０２により読取り、図４に示すように、印字状態チェック画面１６１４として、表示部１３０に出力された印字物のプレビュー画像１６１４ａ１を表示するとともに、「印字不良と判断する箇所を指でタッチしてください。」というメッセージ１６１４ａ２を表示するようにしている。
【００４６】
表示部１３０上に表示されたプレビュー画像１６１４ａ１に対して、ユーザが印字不良／印字ミスと判断した箇所をタッチすると、図５に示すように、プレビュー画像１６１４ａ１上のタッチ操作により特定された箇所に円形状のチェックマーク１６１４ａ３が表示される。
【００４７】
次に、第１実施形態の画像形成装置１００により出力された印字物に印字不良や印字ミスがあるか否かを判断して再印字するか否かを判断する工程について、フローチャートに沿って説明する。
図６は第１実施形態の画像形成装置において出力された印字物を確認して再度印字する必要があるか否かを判断する工程を示すフローチャートである。
【００４８】
第１実施形態の画像形成装置１００において、ユーザの所望の書類（住民票）の出力が指示されると、図６に示すように、印字動作が開始して所望の書類が印字された印字物が出力される（ステップＳ１）。
【００４９】
そして、ユーザに対して、印字物に印字不良があるか否かが確認される（ステップＳ２）。具体的には、例えば、表示部１３０に「出力された印字物に印字不良はありませんか？」というメッセージが表示されて、ユーザに対して印字物の印字状態の確認を促す。
【００５０】
ステップＳ２において、ユーザが印字物に印字不良がないと判断した場合は、書類の出力処理は終了する。
【００５１】
一方、ステップＳ２において、ユーザが印字物に印字不良があると判断した場合は、出力された印字物を読込む指示をして、当該印字物をスキャナ部１０２にて読込む（ステップＳ３）。スキャナ部１０２にて読込まれた印字物の画像は、図４に示すように、表示部１３０にプレビュー表示される。
【００５２】
そして、表示部１３０に表示された印字物のプレビュー画像１６１４ａ１に対して、ユーザが印字不良（または印字ミス）と判断した箇所をタッチ操作（入力操作）により特定する（ステップＳ４）。特定された箇所は、図５に示すように、特定箇所指定手段１８２により円形状のチェックマーク１６１４ａ３が表示されて特定される。
【００５３】
そして、ユーザにより特定された箇所が再印字の必要な箇所であるか否かが判断される（ステップＳ５）。
【００５４】
ステップＳ５では、印字不良判断手段１８３によりユーザによって特定された箇所と印字不良判断テーブル１６１３の情報領域とが照合されて、ユーザにより特定された箇所が印字不良であるか否かが判断される（マシン判定）。そして、印字不良判断テーブル１６１３により、印字不良により再印字が必要であるか否かが判断される。
【００５５】
ステップＳ５において、ユーザにより特定された箇所が再印字の必要な箇所ではないと判断された場合は、書類の出力処理は終了する。
【００５６】
一方、ステップＳ５において、ユーザにより特定された箇所が再印字の必要な箇所であると判断された場合は、ステップＳ１に戻り、再びユーザの所望の書類（住民票）の出力処理が開始される。
【００５７】
このようにして、出力された印字物に印字不良や印字ミスがあるか否かが確認することで、印字不良や印字ミスの無い良好な印字物を得ることができる。
【００５８】
以上のように構成したので、第１実施形態によれば、画像形成装置１００において、記憶部１６０に、住民票のフォーマット１６１１と情報が記載される情報領域１６１２とを有する書類の画像データ１６１が予め登録され、また、印字不良判断基準として印字不良判断テーブル１６１３を設定して、制御部１８０の構成として、印字状態チェック画面表示手段１８１と、特定箇所指定手段１８２と、印字不良判断手段１８３とを備え、印字状態チェック画面１６１４として表示部１３０に出力された印字物のプレビュー画像１６１４ａ１を表示して、印字物に印字不良や印字ミスが発生した場合に、プレビュー画像１６１４ａ１上にユーザが印字不良／印字ミスと判断した箇所をタッチすることで、特定された箇所に円形状のチェックマーク１６１４ａ３を表示するようにしたので、ユーザが印字不良箇所等を容易に確認できるとともに、その箇所が印字不良や印字ミスであるか否かを印字不良判断テーブル１６１３により判断することができる。これにより、ユーザによって印字不良かどうかの判断基準が異なる場合であっても、マン／マシンにより明確な判断を行うことができる。
【００５９】
なお、第１実施形態の画像形成装置１００では、印字状態チェック画面表示手段１８１は、印字状態チェック画面１６１４として、スキャナ部１０２により読取られた出力された印字物のプレビュー画像１６１４ａ１としているが、本発明は、印字状態チェック画面をプレビュー画像に限定するものではない。
【００６０】
（第２実施形態）
次に、本発明の第２実施形態について説明する。
図７は本発明の第２実施形態に係る画像形成装置の電気的構成を示すブロック図、図８は前記画像形成装置の表示部に印字状態チェック画面として表示されるチェックする箇所とチェックする内容を含むチェックリストの一例を示す説明図、図９は前記画像形成装置の記憶部に予め設定されている前記チェックリストに対応した印字不良判断テーブルの一例を示す説明図である。
なお、第２実施形態の画像形成装置において、第１実施形態の画像形成装置と同様な構成を有するものは、同じ符号を付することで説明を省略する。
【００６１】
第２実施形態の画像形成装置２００は、図７に示すように、記憶部２６０には、特徴的な構成として、第１実施形態と同様に、住民票のフォーマット１６１１と情報が記載される情報領域（位置情報）１６１２とを有する書類の画像データ２６１が予め登録されている。
【００６２】
また、記憶部２６０には、住民票のフォーマット１６１１と書類の情報が記載される情報領域１６１２に印字不良があるか否かを判断するための印字不良判断基準となる印字不良判断テーブル２６１３が設定されている。
【００６３】
また、記憶部２６０には、出力された印字物の印字状態をチェックする印字状態チェック画面２６１４が記憶される。
【００６４】
制御部２８０には、特徴的な構成として、印字状態チェック画面表示手段２８１と、特定箇所指定手段（印字不良箇所指定手段）２８２と、印字不良判断手段２８３とが具備されている。
【００６５】
印字状態チェック画面表示手段２８１は、スキャナ部１０２により読取られた出力された印字物の画像データに基づいて、出力された印字物の印字状態をチェックする印字状態チェック画面２６１４を表示部１３０に表示する。
【００６６】
特定箇所指定手段２８２は、表示部１３０に表示された印字状態チェック画面２６１４に対してユーザのタッチ操作により特定した箇所（ユーザが印字不良と判断した箇所）を指定する。
【００６７】
印字不良判断手段２８３は、予め設定されている印字不良判断テーブル２６１３とユーザにより特定された箇所とを照合して、ユーザにより特定された箇所が印字不良であるか否かを判断する。
【００６８】
第２実施形態では、印字状態チェック画面２６１４として、図８に示すように、印字状態をチェックする該当箇所２６１４ａ１１と該当内容（チェック内容）２６１４ａ１２を含む印字状態チェックリスト２６１４ａ１を表示部１３０に表示するとともに、「該当するものを全てタッチしてから進むボタンを押してください。」というメッセージ２６１４ａ２を表示するようにしている。符号２６１４ａ３は「進むボタン」を示す。
【００６９】
第２実施形態では、該当箇所２６１４ａ１１の項目としては、「名前・住所・印鑑」、「発行日付・発行機関名」および「タイトル・枠線」が設定されている。
【００７０】
印字不良や印字ミスの該当内容２６１４ａ１２としては、それぞれの該当箇所２６１４ａ１１の項目に対して、「印字汚れ」、「スジ」、［斜め」が選択可能に設定されている。
【００７１】
また、第２実施形態では、印字不良判断テーブル２６１３は、図９に示すように、該当箇所の項目「名前・住所・印鑑」、「発行日付・発行機関名」および「タイトル・枠線」に対応する該当内容２６１４ａ１２における「印字汚れ」、「スジ」、「斜め」に対して、それぞれに再印刷の「必要」、「不要」が設定されている。
【００７２】
第２実施形態において、ユーザが出力された印字物の印字状態をチェックする場合は、表示部１３０上に表示された印字状態チェックリスト２６１４ａ１に対して、ユーザが印字不良／印字ミスがあると判断した該当箇所２６１４ａ１１をタッチした後、該当内容２６１４ａ１２をタッチすることで、特定箇所指定手段１８２により、タッチ操作により特定された箇所の印字不良／印字ミスの内容が特定される。
【００７３】
そして、進むボタン２６１４ａ３がタッチ操作されると、印字不良判断テーブル２６１３により、住民票の該当箇所の項目「名前・住所・印鑑」、「発行日付・発行機関名」および「タイトル・枠線」の情報領域における印字不良や印字ミスの状態に対応して、再印刷が必要か否かを判断するようにしている。
【００７４】
以上のように構成したので、第２実施形態によれば、画像形成装置２００において、記憶部２６０に、住民票のフォーマット１６１１と情報が記載される情報領域１６１２とを有する書類の画像データ１６１が予め登録され、また、印字不良判断基準（印字汚れ、スジ、斜め印字）として印字不良判断テーブル２６１３を設定して、制御部２８０の構成として、印字状態チェック画面表示手段２８１と、特定箇所指定手段２８２と、印字不良判断手段２８３とを備え、印字状態チェック画面２６１４として、印字状態をチェックする該当箇所２６１４ａ１１とチェック内容（該当内容）２６１４ａ１２を含む印字状態チェックリスト２６１４ａ１を表示して、印字物に印字不良や印字ミスが発生した場合に、表示部１３０上に表示された印字状態チェックリスト２６１４ａ１に対して、ユーザが印字不良／印字ミスがあると判断した該当箇所２６１４ａ１１をタッチした後、チェック内容２６１４ａ１２をタッチすることで、ユーザが印字不良箇所等を容易に確認できるとともに、その箇所が印字不良や印字ミスであるか否かを印字不良判断テーブル２６１３により判断することができるので、ユーザによって印字ミスかどうかの判断基準が異なる場合であっても、明確な判断を行うことができる。
【００７５】
なお、第１実施形態や第２実施形態では、インターネット（ネットワーク）を利用した証明書の発行サービスにより住民票を出力するようにしているが、本発明は、発行サービスやコピーサービスをこれに限定するものではない。
【００７６】
（第３実施形態）
次に、本発明の第３実施形態について図面を参照して説明する。
図１０は本発明の第３実施形態に係る画像形成装置の電気的構成を示すブロック図、図１１は前記画像形成装置の記憶部に予め設定されている印鑑証明の印字不良判断テーブルの一例を示す説明図である。
なお、第３実施形態の画像形成装置において、第１実施形態の画像形成装置と同様な構成を有するものは、同じ符号を付することで説明を省略する。
【００７７】
第３実施形態では、画像形成装置３００を使用して、インターネット（ネットワーク）を利用した証明書の発行サービスにより印鑑証明の出力を可能としている。
【００７８】
画像形成装置３００は、図１０に示すように、記憶部３６０には、特徴的な構成として、印鑑証明のフォーマット３６１１と情報が記載される情報領域（位置情報）３６１２とを有する書類の画像データ３６１が予め登録されている。
【００７９】
また、記憶部３６０には、印鑑証明のフォーマット３６１１と書類の情報が記載される情報領域３６１２に印字不良があるか否かを判断するための印字不良判断基準となる印字不良判断テーブル３６１３が設定されている。
【００８０】
また、記憶部３６０には、出力された印字物の印字状態をチェックする印字状態チェック画面３６１４が記憶される。
【００８１】
制御部３８０には、特徴的な構成として、印字状態チェック画面表示手段３８１と、特定箇所指定手段（印字不良箇所指定手段）３８２と、印字不良判断手段３８３とが具備されている。
【００８２】
印字状態チェック画面表示手段３８１は、スキャナ部１０２により読取られた出力された印字物の画像データに基づいて、出力された印字物の印字状態をチェックする印字状態チェック画面３６１４を表示部１３０に表示する。
【００８３】
特定箇所指定手段３８２は、表示部１３０に表示された印字状態チェック画面３６１４に対してユーザのタッチ操作により特定した箇所（ユーザが印字不良と判断した箇所）を指定する。
【００８４】
印字不良判断手段３８３は、予め設定されている印字不良判断テーブル３６１３とユーザにより特定された箇所とを照合して、ユーザにより特定された箇所が印字不良であるか否かを判断する。
【００８５】
印字不良判断テーブル３６１３には、図１１に示すように、書類のフォーマットとして印鑑証明のフォーマット３６１１と、情報領域３６１２として個人情報の領域と定型情報の領域とが設定されている。
【００８６】
個人情報の領域の項目としては、「印影」、「氏名」、「生年月日」、「住所」が設定されている。
【００８７】
定型情報の領域の項目としては、「タイトル」、「文書」、「発行日付」、「発行者」、「発行印」、「枠線」、「各項目タイトル」が設定されている。
【００８８】
個人情報の領域と定型情報の領域のそれぞれの項目に対して、印字不良や印字ミスの判断基準として「汚れ」、「スジ」、「斜め」の有無が設定されている。
【００８９】
そして、情報領域の各項目における印字不良や印字ミスの「汚れ」、「スジ」、「斜め」に対して、再印刷の「必要」、「不要」が設定されている。
【００９０】
この印字不良判断テーブル３６１３を用いて、印鑑証明における各項目の情報領域に印字不良や印字ミスの状態に対応して、再印刷が必要か否かを判断するようにしている。
【００９１】
以上のように構成したので、第３実施形態によれば、画像形成装置３００において、発行サービスにより印鑑証明を出力する際には、印鑑証明用の印字不良判断テーブル３６１３を用いて、出力された書類に対して印字不良箇所等を容易に確認することができる。
【００９２】
（第４実施形態）
次に、本発明の第４実施形態について図面を参照して説明する。
図１２は本発明の第４実施形態に係る画像形成装置の電気的構成を示すブロック図、図１３は前記画像形成装置の記憶部に予め設定されている特定のチケットの印字不良判断テーブルの一例を示す説明図である。
なお、第４実施形態の画像形成装置において、第３実施形態の画像形成装置と同様な構成を有するものは、同じ符号を付することで説明を省略する。
【００９３】
第４実施形態では、画像形成装置４００を使用して、インターネット（ネットワーク）を利用した証明書の発行サービスにより特定のチケットの出力を可能としている。
【００９４】
画像形成装置４００は、図１２に示すように、記憶部４６０には、特徴的な構成として、印鑑証明のフォーマット４６１１と情報が記載される情報領域（位置情報）４６１２とを有する書類の画像データ４６１が予め登録されている。
【００９５】
また、記憶部４６０には、印鑑証明のフォーマット４６１１と書類の情報が記載される情報領域４６１２に印字不良があるか否かを判断するための印字不良判断基準となる印字不良判断テーブル４６１３が設定されている。
【００９６】
また、記憶部４６０には、出力された印字物の印字状態をチェックする印字状態チェック画面４６１４が記憶される。
【００９７】
制御部４８０には、特徴的な構成として、印字状態チェック画面表示手段４８１と、特定箇所指定手段（印字不良箇所指定手段）４８２と、印字不良判断手段４８３とが具備されている。
【００９８】
印字状態チェック画面表示手段４８１は、スキャナ部１０２により読取られた出力された印字物の画像データに基づいて、出力された印字物の印字状態をチェックする印字状態チェック画面４６１４を表示部１３０に表示する。
【００９９】
特定箇所指定手段４８２は、表示部１３０に表示された印字状態チェック画面４６１４に対してユーザのタッチ操作により特定した箇所（ユーザが印字不良と判断した箇所）を指定する。
【０１００】
印字不良判断手段４８３は、予め設定されている印字不良判断テーブル４６１３とユーザにより特定された箇所とを照合して、ユーザにより特定された箇所が印字不良であるか否かを判断する。
【０１０１】
印字不良判断テーブル４６１３には、図１３に示すように、書類のフォーマットとして特定のチケットのフォーマット４６１１と、情報領域４６１２として特定情報の領域と定型情報の領域とが設定されている。
【０１０２】
特定情報の領域の項目としては、「公演タイトル」、「日時」、「場所」、「座席」、「金額」、「バーコード」が設定されている。
【０１０３】
定型情報の領域の項目としては、「発行機関」、「文書」、「発行日付」、「発行者」、「発行印」、「枠線」、「各項目タイトル」が設定されている。
【０１０４】
特定情報の領域と定型情報の領域のそれぞれの項目に対して、印字不良や印字ミスの判断基準として「汚れ」、「スジ」、「斜め」の有無が設定されている。
【０１０５】
そして、情報領域の各項目における印字不良や印字ミスの「汚れ」、「スジ」、「斜め」に対して、再印刷の「必要」、「不要」が設定されている。
【０１０６】
この印字不良判断テーブル４６１３を用いて、特定のチケットにおける各項目の情報領域に印字不良や印字ミスの状態に対応して、再印刷が必要か否かを判断するようにしている。
【０１０７】
以上のように構成したので、第４実施形態によれば、画像形成装置４００において、発行サービスにより特定のチケットを出力する際には、特定のチケット用の印字不良判断テーブル４６１３を用いて、出力された書類に対して印字不良箇所等を容易に確認することができる。
【０１０８】
（第５実施形態）
次に、本発明の第５実施形態について図面を参照して説明する。
図１４は本発明の第５実施形態に係る画像形成装置の電気的構成を示すブロック図、図１５は前記画像形成装置の記憶部に予め設定されている運転免許証の印字不良判断テーブルの一例を示す説明図である。
なお、第５実施形態の画像形成装置において、第１実施形態の画像形成装置と同様な構成を有するものは、同じ符号を付することで説明を省略する。
【０１０９】
第５実施形態では、画像形成装置５００を使用して、証明書のコピーサービスにより運転免許証の出力を可能としている。
【０１１０】
画像形成装置５００は、図１４に示すように、記憶部５６０には、特徴的な構成として、運転免許証のフォーマット５６１１と情報が記載される情報領域（位置情報）５６１２とを有する書類の画像データ５６１が予め登録されている。
【０１１１】
また、記憶部５６０には、運転免許証のフォーマット５６１１と書類の情報が記載される情報領域５６１２に印字不良があるか否かを判断するための印字不良判断基準となる印字不良判断テーブル５６１３が設定されている。
【０１１２】
また、記憶部５６０には、出力された印字物の印字状態をチェックする印字状態チェック画面５６１４が記憶される。
【０１１３】
制御部５８０には、特徴的な構成として、印字状態チェック画面表示手段５８１と、特定箇所指定手段（印字不良箇所指定手段）５８２と、印字不良判断手段５８３とが具備されている。
【０１１４】
印字状態チェック画面表示手段５８１は、スキャナ部１０２により読取られた出力された印字物の画像データに基づいて、出力された印字物の印字状態をチェックする印字状態チェック画面５６１４を表示部１３０に表示する。
【０１１５】
特定箇所指定手段５８２は、表示部１３０に表示された印字状態チェック画面５６１４に対してユーザのタッチ操作により特定した箇所（ユーザが印字不良と判断した箇所）を指定する。
【０１１６】
印字不良判断手段５８３は、予め設定されている印字不良判断テーブル５６１３とユーザにより特定された箇所とを照合して、ユーザにより特定された箇所が印字不良であるか否かを判断する。
【０１１７】
印字不良判断テーブル５６１３には、図１５に示すように、書類のフォーマットとして特定のチケットのフォーマット５６１１と、情報領域５６１２として個人情報の領域と定型情報の領域とが設定されている。
【０１１８】
個人情報の領域の項目としては、「氏名」、「生年月日」、「住所」、「交付年月日」、「有効期限」、「免許の条件等」、「取得情報」、「写真」が設定されている。
【０１１９】
定型情報の領域の項目としては、「タイトル」、「発行者」、「発行印」、「枠線」、「各項目タイトル」が設定されている。
【０１２０】
個人情報の領域と定型情報の領域のそれぞれの項目に対して、印字不良や印字ミスの判断基準として「汚れ」、「スジ」、「斜め」の有無が設定されている。
【０１２１】
そして、情報領域の各項目における印字不良や印字ミスの「汚れ」、「スジ」、「斜め」に対して、再印刷の「必要」、「不要」が設定されている。
【０１２２】
この印字不良判断テーブル５６１３を用いて、運転免許証における各項目の情報領域に印字不良や印字ミスの状態に対応して、再印刷が必要か否かを判断するようにしている。
【０１２３】
以上のように構成したので、第５実施形態によれば、画像形成装置５００において、コピーサービスにより運転免許証を出力する際には、運転免許証用の印字不良判断テーブル５６１３を用いて、出力された書類に対して印字不良箇所等を容易に確認することができる。
【０１２４】
（第６実施形態）
次に、本発明の第６実施形態について図面を参照して説明する。
図１６は本発明の第６実施形態に係る画像形成装置の電気的構成を示すブロック図、図１７は前記画像形成装置の記憶部に予め設定されている健康保険証の印字不良判断テーブルの一例を示す説明図である。
なお、第６実施形態の画像形成装置において、第１実施形態の画像形成装置と同様な構成を有するものは、同じ符号を付することで説明を省略する。
【０１２５】
第６実施形態では、画像形成装置６００を使用して、証明書のコピーサービスによりや健康保険証の出力を可能としている。
【０１２６】
画像形成装置６００は、図１６に示すように、記憶部６６０には、特徴的な構成として、健康保険証のフォーマット６６１１と情報が記載される情報領域（位置情報）６６１２とを有する書類の画像データ６６１が予め登録されている。
【０１２７】
また、記憶部６６０には、運転免許証のフォーマット６６１１と書類の情報が記載される情報領域６６１２に印字不良があるか否かを判断するための印字不良判断基準となる印字不良判断テーブル６６１３が設定されている。
【０１２８】
また、記憶部６６０には、出力された印字物の印字状態をチェックする印字状態チェック画面６６１４が記憶される。
【０１２９】
制御部６８０には、特徴的な構成として、印字状態チェック画面表示手段６８１と、特定箇所指定手段（印字不良箇所指定手段）６８２と、印字不良判断手段６８３とが具備されている。
【０１３０】
印字状態チェック画面表示手段６８１は、スキャナ部１０２により読取られた出力された印字物の画像データに基づいて、出力された印字物の印字状態をチェックする印字状態チェック画面６６１４を表示部１３０に表示する。
【０１３１】
特定箇所指定手段６８２は、表示部１３０に表示された印字状態チェック画面６６１４に対してユーザのタッチ操作により特定した箇所（ユーザが印字不良と判断した箇所）を指定する。
【０１３２】
印字不良判断手段６８３は、予め設定されている印字不良判断テーブル６６１３とユーザにより特定された箇所とを照合して、ユーザにより特定された箇所が印字不良であるか否かを判断する。
【０１３３】
印字不良判断テーブル６６１３には、図１７に示すように、書類のフォーマットとして健康保険証のフォーマット６６１１と、情報領域６６１２として個人情報の領域と定型情報の領域とが設定されている。
【０１３４】
個人情報の領域の項目としては、「氏名」、「生年月日」、「性別」、「番号」、「資格取得日」が設定されている。
【０１３５】
定型情報の領域の項目としては、「保険者所在地」、「保険者番号」、「保険者名称」、「保険者電話」、「発行印」、「枠線」、「各項目タイトル」が設定されている。
【０１３６】
個人情報の領域と定型情報の領域のそれぞれの項目に対して、印字不良や印字ミスの判断基準として「汚れ」、「スジ」、「斜め」の有無が設定されている。
【０１３７】
そして、情報領域の各項目における印字不良や印字ミスの「汚れ」、「スジ」、「斜め」に対して、再印刷の「必要」、「不要」が設定されている。
【０１３８】
この印字不良判断テーブル６６１３を用いて、健康保険証における各項目の情報領域に印字不良や印字ミスの状態に対応して、再印刷が必要か否かを判断するようにしている。
【０１３９】
以上のように構成したので、第６実施形態によれば、画像形成装置６００において、コピーサービスにより健康保険証を出力する際には、健康保険証用の印字不良判断テーブル６６１３を用いて、出力された書類に対して印字不良箇所等を容易に確認することができる。
【０１４０】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１４１】
１００，２００，３００，４００，５００，６００  画像形成装置
１０２  スキャナ部（画像読取部）
１０４  画像形成部
１３０  表示部
１６０，２６０，３６０，４６０，５６０，６６０  記憶部
１６１，２６１，３６１，４６１，５６１，６６１  画像データ
１８０，２８０，３８０，４８０，５８０，６８０  制御部
１８１，２８１，３８１，４８１，５８１，６８１  印字状態チェック画面表示手段
１８２，２８２，３８２，４８２，５８２，６８２  特定箇所指定手段
１８３，２８３，３８３，４８３，５８３，６８３  印字不良判断手段
１６１１，３６１１，４６１１，５６１１，６６１１  フォーマット
１６１２，３６１２，４６１２，５６１２，６６１２  情報領域
１６１３，２６１３，３６１３，
４６１３，５６１３，６６１３  印字不良判断テーブル（印字不良判断基準）
１６１４，２６１４，３６１４，４６１４，５６１４，６６１４  印字状態チェック画面
１６１４ａ１  プレビュー画像
１６１４ａ２  メッセージ
１６１４ａ３  チェックマーク
２６１４ａ１  印字状態チェックリスト
２６１４ａ１１  該当箇所
２６１４ａ１２  該当内容
２６１４ａ２  メッセージ
【図１】
2015193137.tif 000003
【図２】
2015193137.tif 000004
【図３】
2015193137.tif 000005
【図４】
2015193137.tif 000006
【図５】
2015193137.tif 000007
【図６】
2015193137.tif 000008
【図７】
2015193137.tif 000009
【図８】
2015193137.tif 000010
【図９】
2015193137.tif 000011
【図１０】
2015193137.tif 000012
【図１１】
2015193137.tif 000013
【図１２】
2015193137.tif 000014
【図１３】
2015193137.tif 000015
【図１４】
2015193137.tif 000016
【図１５】
2015193137.tif 000017
【図１６】
2015193137.tif 000018
【図１７】
2015193137.tif 000019